(57)【特許請求の範囲】
【請求項１】
読取部に載置された原稿を読み取る画像読取装置であって、
情報を表示する第１表示部と当該第１表示部に対する入力操作を受け付ける入力部とを有する表示入力部と、
前記読取部との間に前記原稿を挟む原稿押さえ部と、
前記読取部に対する前記原稿押さえ部の対面状態を切替可能に前記原稿押さえ部を回動可能に支持する支持部と、
前記読取部と対面する前記原稿押さえ部の面部に設けられた第２表示部と、
前記入力部に対する入力操作内容に基づいて第２表示部に対する入力操作内容を受け付ける制御部と、
を備えることを特徴とする画像読取装置。
【請求項２】
前記制御部は、前記第１表示部の表示内容に対する前記入力部の操作内容を受け付ける処理と前記第２表示部の表示内容に対する前記入力部の操作内容を受け付ける処理とを所定の条件に基づいて切り替えることを特徴とする請求項１に記載の画像読取装置。
【請求項３】
前記読取部に対する前記原稿押さえ部の対面状態を検出する検出部を備え、
前記制御部は、前記検出部により検出された前記原稿押さえ部の対面状態に基づいて、前記原稿押さえ部が前記読取部に対面する場合に前記第１表示部の表示内容に対する前記入力部の操作内容を受け付ける処理を行い、前記原稿押さえ部が前記読取部に対して対面しない場合に前記第２表示部の表示内容に対する前記入力部の操作内容を受け付ける処理を行うことを特徴とする請求項２に記載の画像読取装置。
【請求項４】
前記制御部は、前記第２表示部の表示内容に対する前記入力部の操作内容を受け付ける処理から前記第１表示部の表示内容に対する前記入力部の操作内容を受け付ける処理へ切り替えるとき、切替前の前記第２表示部の表示内容に基づいて切替後の前記第１表示部の表示内容を決定することを特徴とする請求項２又は３に記載の画像読取装置。
【請求項５】
前記制御部が前記第２表示部の表示内容に対する前記入力部の操作内容を受け付ける処理を行っている場合において、前記入力部は、前記第２表示部に表示された指標の位置を変更する入力操作を受け付け、
前記制御部は、前記第２表示部の表示内容に対する前記入力部の操作内容を受け付ける処理から前記第１表示部の表示内容に対する前記入力部の操作内容を受け付ける処理へ切り替えるとき、前記第２表示部に表示された前記指標の位置に基づいて切替後の前記第１表示部の表示内容を決定することを特徴とする請求項４に記載の画像読取装置。
【請求項６】
前記制御部は、前記第１表示部の表示内容に対する前記入力部の操作内容を受け付ける処理から前記第２表示部の表示内容に対する前記入力部の操作内容を受け付ける処理へ切り替えるとき、切替前の前記第１表示部の表示内容に基づいて切替後の前記第２表示部の表示内容を決定することを特徴とする請求項２から５の何れか一項に記載の画像読取装置。
【請求項７】
切替前の前記第１表示部の表示内容と切替後の前記第２表示部の表示内容とを対応付ける対応付け情報を記憶する記憶部を備え、
前記制御部は、切替前の前記第１表示部の表示内容及び前記記憶部に記憶された対応付け情報に基づいて切替後の前記第２表示部の表示内容を決定することを特徴とする請求項６に記載の画像読取装置。
【発明の詳細な説明】
【技術分野】
【０００１】
本発明は、画像読取装置に関する。
【背景技術】
【０００２】
イメージスキャナやＭＦＰ（Multifunction Peripheral）等の画像読取装置に対し各種入力を行う方法として、画像読取装置にタッチパネルを設けて当該タッチパネルから入力を行う方法がある（例えば特許文献１）。タッチパネルは、情報を表示する表示部と当該表示部に対する入力操作を受け付ける入力部とを有し、表示部による表示内容に対して直接操作を行う感覚で入力を行うことができる装置である。
【先行技術文献】
【特許文献】
【０００３】
【特許文献１】特開２００３−２７４１０２号公報
【発明の概要】
【発明が解決しようとする課題】
【０００４】
近年、画像読取装置の機能は飛躍的に増加している。このような多機能な画像読取装置が備える機能として、例えば、外部機器を介さずに画像読取装置により読み取られた画像データを出力する機能や、画像データの色数や解像度、出力フォーマット等の各種条件を設定する機能、画像読取装置をローカルエリアネットワーク（LAN）等のコンピュータネットワークに直接接続する機能等が挙げられ、その他にも種々様々な機能がある。
【０００５】
画像読取装置の機能の増加に伴い、画像読取装置に対して入力する項目の数も増加している。その一方で、画像読取装置に対して上記特許文献１のタッチパネルによる入力を行う場合、表示内容の確認（視認）に支障をきたさない表示サイズで表示部に表示することができる情報量には限りがあるため、一の表示内容に基づく情報量及び入力可能な項目はタッチパネルの大きさに制限されてしまう。このため、多数の設定項目がある場合等において、従来のタッチパネルにより画像形成装置に対して入力を完了させるには、何度も表示部の内容を切り替えて入力操作を行う必要があり、ユーザは煩雑な作業を強いられていた。
【０００６】
タッチパネルを大型化させることにより、一の表示内容に基づく情報量を増加させることができる。しかしながら、単にタッチパネルを大型化させると、タッチパネルを設置するためのスペースが大型化してしまうので、タッチパネルの大型化のために画像読取装置の大型化を招く。
【０００７】
本発明は、画像読取装置を大型化させることなく一の表示内容に基づく情報量をより多くして当該表示内容に対する入力操作をより快適とすることである。
【課題を解決するための手段】
【０００８】
請求項１に記載の発明は、読取部に載置された原稿を読み取る画像読取装置であって、情報を表示する第１表示部と当該第１表示部に対する入力操作を受け付ける入力部とを有する表示入力部と、前記読取部との間に前記原稿を挟む原稿押さえ部と、前記読取部に対する前記原稿押さえ部の対面状態を切替可能に前記原稿押さえ部を回動可能に支持する支持部と、前記読取部と対面する前記原稿押さえ部の面部に設けられた第２表示部と、前記入力部に対する入力操作内容に基づいて第２表示部に対する入力操作内容を受け付ける制御部と、を備えることを特徴とする。
【０００９】
請求項２に記載の発明は、請求項１に記載の画像読取装置であって、前記制御部は、前記第１表示部の表示内容に対する前記入力部の操作内容を受け付ける処理と前記第２表示部の表示内容に対する前記入力部の操作内容を受け付ける処理とを所定の条件に基づいて切り替えることを特徴とする。
【００１０】
請求項３に記載の発明は、請求項２に記載の画像読取装置であって、前記読取部に対する前記原稿押さえ部の対面状態を検出する検出部を備え、前記制御部は、前記検出部により検出された前記原稿押さえ部の対面状態に基づいて、前記原稿押さえ部が前記読取部に対面する場合に前記第１表示部の表示内容に対する前記入力部の操作内容を受け付ける処理を行い、前記原稿押さえ部が前記読取部に対して対面しない場合に前記第２表示部の表示内容に対する前記入力部の操作内容を受け付ける処理を行うことを特徴とする。
【００１１】
請求項４に記載の発明は、請求項２又は３に記載の画像読取装置であって、前記制御部は、前記第２表示部の表示内容に対する前記入力部の操作内容を受け付ける処理から前記第１表示部の表示内容に対する前記入力部の操作内容を受け付ける処理へ切り替えるとき、切替前の前記第２表示部の表示内容に基づいて切替後の前記第１表示部の表示内容を決定することを特徴とする。
【００１２】
請求項５に記載の発明は、請求項４に記載の画像読取装置であって、前記制御部が前記第２表示部の表示内容に対する前記入力部の操作内容を受け付ける処理を行っている場合において、前記入力部は、前記第２表示部に表示された指標の位置を変更する入力操作を受け付け、前記制御部は、前記第２表示部の表示内容に対する前記入力部の操作内容を受け付ける処理から前記第１表示部の表示内容に対する前記入力部の操作内容を受け付ける処理へ切り替えるとき、前記第２表示部に表示された前記指標の位置に基づいて切替後の前記第１表示部の表示内容を決定することを特徴とする。
【００１３】
請求項６に記載の発明は、請求項２から５の何れか一項に記載の画像読取装置であって、前記制御部は、前記第１表示部の表示内容に対する前記入力部の操作内容を受け付ける処理から前記第２表示部の表示内容に対する前記入力部の操作内容を受け付ける処理へ切り替えるとき、切替前の前記第１表示部の表示内容に基づいて切替後の前記第２表示部の表示内容を決定することを特徴とする。
【００１４】
請求項７に記載の発明は、請求項６に記載の画像読取装置であって、切替前の前記第１表示部の表示内容と切替後の前記第２表示部の表示内容とを対応付ける対応付け情報を記憶する記憶部を備え、前記制御部は、切替前の前記第１表示部の表示内容及び前記記憶部に記憶された対応付け情報に基づいて切替後の前記第２表示部の表示内容を決定することを特徴とする。
【発明の効果】
【００１５】
本発明によれば、画像読取装置を大型化させることなく一の表示内容に基づく情報量をより多くして当該表示内容に対する入力操作をより快適とすることができる。
【図面の簡単な説明】
【００１６】
【図１】本発明による画像読取装置の一実施形態であるＭＦＰのブロック図である。
【図２】ＭＦＰの斜視図を示す図である。
【図３】第１表示部の表示内容の一例を示す図である。
【図４】図３とは異なる第１表示部の表示内容の一例を示す。
【図５】原稿押さえ位置検出部による原稿押さえ部の位置検出の一例を示す図である。図５（Ａ）は、原稿押さえ部の面部が読取部の読取面部と対面する一例を示す図である。図５（Ｂ）は、原稿押さえ部の面部が読取部の読取面部に対して対面しない一例を示す図である。
【図６】入力部の操作内容と対応付けられる表示部の切替の一例を示す図である。図６（Ａ）は、第１表示部の表示内容に対する入力部の操作内容を受け付ける場合の第１表示部及び第２表示部の表示状態の一例を示す図である。図６（Ｂ）は、第２表示部の表示内容に対する入力部の操作内容を受け付ける場合の第１表示部及び第２表示部の表示状態の一例を示す図である。
【図７】第２表示部の表示内容に対する入力部の操作内容を受け付けた一例を示す図である。図７（Ａ）は、矢印カーソルの表示例を示す図である。図７（Ｂ）は、図７（Ａ）とは異なる位置に矢印カーソルが移動した表示例を示す図である。
【図８】第２表示部２１の表示内容の拡大の一例を示す図である。図８（Ａ）は、タッチパネルにおける２点に対する押圧操作が行われている場合の表示内容の一例を示す図である。図８（Ｂ）は、図８（Ａ）に示す２点が互いに離隔するように操作された場合の表示内容の一例を示す図である。
【図９】第２表示部の表示内容の移動の一例を示す図である。
【図１０】同一の情報量を表示した第１表示部の表示内容と第２表示部の表示内容との対比の一例を示す図である。
【図１１】対応付けテーブルの内容の一例を示す図である。
【図１２】入力部の操作内容と対応付ける表示部を第２表示部から第１表示部に切り替える場合の一例を示す図である。図１２（Ａ）は、切替前の第２表示部における矢印カーソルの位置と切替後の第１表示部の表示内容の一例を示す図である。図１２（Ｂ）は、切替前の第２表示部２１における矢印カーソルの位置と切替後の第１表示部の表示内容の別の一例を示す図である。
【図１３】ＭＦＰ１による情報の表示及び入力操作に係る処理の流れの一例を示すフローチャートである。
【図１４】第１表示部による表示処理の流れの一例を示すフローチャートである。
【図１５】第２表示部による表示処理の流れの一例を示すフローチャートである。
【図１６】第１表示部に対する入力受付処理の流れの一例を示すフローチャートである。
【図１７】第２表示部に対する入力受付処理の流れの一例を示すフローチャートである。
【図１８】第１表示部への表示切替処理の流れの一例を示すフローチャートである。
【図１９】第２表示部への表示切替処理の流れの一例を示すフローチャートである。
【図２０】投影により原稿押さえ部の面部に表示を行うＭＦＰ１Ａの一例を示す図である。
【発明を実施するための形態】
【００１７】
以下、図を参照して本発明の実施の形態の例を詳細に説明する。
図１に、本発明による画像読取装置の一実施形態であるＭＦＰ１のブロック図を示す。
図２に、ＭＦＰ１の斜視図を示す。
ＭＦＰ１は、ＣＰＵ１１、ＲＡＭ１２、ＲＯＭ１３、記憶部１４、外部機器接続部１５、読取部１６、画像処理部１７、印刷部１８、第１表示部１９、入力部２０、第２表示部２１及び原稿押さえ位置検出部２２を備え、これらの各構成はバス２３により接続される。
【００１８】
ＣＰＵ１１は、ＲＯＭ１３内に記憶されたプログラムと協働し、ＲＡＭ１２に展開されたプログラムやデータ等に従ってＭＦＰ１の動作制御を行う。
ＲＡＭ１２は、ＣＰＵ１１の処理によって展開されたデータや、当該処理によって一時的に生じたデータ等を格納する。
ＲＯＭ１３は、ＣＰＵ１１によって読み出されるプログラムやデータ等を記憶する。
【００１９】
記憶部１４は、ＣＰＵ１１によって読み出されるプログラムやデータ等を記憶する。記憶部１４は、プログラムやデータ等を書き換え可能な記憶装置である。記憶部１４は、例えばフラッシュメモリやハードディスクドライブ、その他の書き換え可能な記憶装置又はそれらの記憶装置の組合せ等によって構成される。
【００２０】
外部機器接続部１５は、外部機器との間でデータ伝送を行う。外部機器接続部１５は、例えばネットワークインターフェースカード（Network Interface Card、ＮＩＣ）等の通信装置を有し、回線Ｎを通じて外部の機器とデータ伝送を行う。外部機器接続部１５によるデータ伝送は、有線／無線を問わず、またそのプロトコルやその他の接続形式に関する条件（例えば規格等）を問わない。
【００２１】
読取部１６は、原稿を読み取って画像データを生成する。
読取部１６は、例えば図２に示すように略水平に設けられた読取面部１６ａを有する。読取部１６は、読取面部１６ａに載置された原稿に下方から光を照射し、その反射光を検知する。読取部１６は、ＣＣＤ（Charge Coupled Devic）イメージセンサやＣＭＯＳ（Complementary Metal Oxide Semiconductor）イメージセンサ等のイメージセンサを備え、これらのイメージセンサにより反射光を検知して電気信号に変換し、当該電気信号に基づいて画像データを生成する。
【００２２】
画像処理部１７は、外部機器接続部１５を介して入力された画像データや読取部１６により取得された画像データ等に対して所定の画像処理を施す。画像処理部１７は、例えば、画像データに対してディザ処理を施し、印刷部１８へ入力する。
印刷部１８は、画像処理部１７から入力されたデータに基づく印刷を行う。
【００２３】
第１表示部１９及び入力部２０は、タッチパネルＴの一構成として機能する。
本実施形態のタッチパネルＴは、延出部３に設けられている。延出部３は、ＭＦＰ１の筐体２から側方に延出するよう設けられており、タッチパネルＴや、その他の図示しない各種の入力装置を有する。
【００２４】
第１表示部１９は、ＭＦＰ１の動作に係る各種の情報を表示する。
第１表示部１９は、例えば液晶ディスプレイや有機エレクトロルミネセンス（Electro-Luminescence、ＥＬ）ディスプレイ等の表示装置により構成され、ＣＰＵ１１の制御下で情報表示を行う。
【００２５】
図３に、第１表示部１９の表示内容の一例を示す。
図４に、図３とは異なる第１表示部１９の表示内容の一例を示す。
図３に示す表示内容では、「コピー」、「スキャン」、「印刷」の各項目を示すボタン、リセットボタン及び設定完了ボタンが表示されている。
【００２６】
入力部２０は、第１表示部１９に対する入力操作を受け付ける。
入力部２０は、透過性を有する膜状の入力受付部（図示略）を有し、当該入力受付部は第１表示部１９の表示面を覆うよう設けられる。
例えば、入力受付部は、透過性を有する金属薄膜を２枚対向させるよう設けられた構成を有し、そのうち一方の金属薄膜に電圧がかけられている。ユーザにより第１表示部１９の表示面に対する入力操作（押圧操作）が行われると、当該入力操作が行われた位置に応じて他方の金属薄膜に電圧が生じる。入力部２０は、他方の金属薄膜に生じた電圧に基づいてユーザにより入力操作が行われた位置を特定する。
【００２７】
入力部２０は、ユーザにより入力操作が行われた位置を示す情報（例えば座標等）を生成してＣＰＵ１１へ入力する。ＣＰＵ１１は、第１表示部１９の表示内容と、入力操作が行われた位置を示す情報に基づいてユーザの入力操作内容を特定し、その特定結果に応じた処理を行う。
【００２８】
例えば、図３に示す「コピー」ボタンが表示された位置に対してユーザの押圧操作が行われると、押圧操作がなされた位置を示す情報（例えば座標等）を入力部２０が検知し、ＣＰＵ１１へ入力する。ＣＰＵ１１は、第１表示部１９の表示内容と、押圧操作がなされた位置を示す情報に基づいて「コピー」ボタンに対する入力操作が行われたと特定する。そして、ＣＰＵ１１は、特定された入力操作内容に応じた処理を行う。例えば、タッチパネルＴの「コピー」ボタンに対応する位置に対して入力操作が行われた場合、ＣＰＵ１１は、当該位置を示す指標（例えば図５に示す十字カーソルＣ）を表示させ、その後「コピー」ボタンに対する入力操作に応じた処理として、図４に示すコピー処理設定画面を第１表示部１９に表示させる処理を行う。
このように、ＣＰＵ１１は、第１表示部１９の表示内容に対する入力部２０の操作内容を受け付ける処理を行う。
【００２９】
また、ＣＰＵ１１は、入力操作が行われたタイミングに基づく表示制御を行う。例えば、ＣＰＵ１１は、単純にある一点に対する押圧操作が行われた場合、ほぼ同一の一点に対する所定時間内の連続した押圧操作（クリック操作）が行われた場合、ある一点に対する押圧操作が行われた後、押圧を維持しながら押圧位置を別の一点へ移動させる操作が行われることで、押圧位置が連続して移動する検出がなされる操作（スライド操作）が行われた場合等を区別し、これらの各入力操作内容に応じた表示制御を行う。
【００３０】
第２表示部２１は、第１表示部１９と別個に設けられた表示装置であり、ＭＦＰ１の動作に係る各種の情報を表示する。第２表示部２１は、図２に示す原稿押さえ部４の面部５に設けられる。第２表示部２１の表示面の大きさ（面積）は、第１表示部１９の表示面の大きさ（面積）に比して大きい。
原稿押さえ部４の面部５は、読取部１６の読取面部１６ａとの間に原稿（例えば紙書類等）を挟むことができるよう設けられる。また、原稿押さえ部４は、支持部６を回動軸として読取面部１６ａに対して回動可能に設けられる。原稿押さえ部４が読取面部１６ａに対する回動角度を変化させることにより、読取面部１６ａに対する面部５の対面状態の切替がなされる。つまり、支持部６は、読取面部１６ａに対する原稿押さえ部４の面部５の対面状態を切替可能とするよう原稿押さえ部４を回動可能に支持する。
【００３１】
原稿押さえ位置検出部２２は、読取部１６の読取面部１６ａに対する原稿押さえ部４の面部５の対面状態を検出する。
図５（Ａ）、（Ｂ）に、原稿押さえ位置検出部２２による原稿押さえ部４の位置検出の一例を示す。図５（Ａ）は、原稿押さえ部４の面部５が読取部１６の読取面部１６ａと対面する一例を示す。図５（Ｂ）は、原稿押さえ部４の面部５が読取部１６の読取面部１６ａに対して対面しない一例を示す。
原稿押さえ位置検出部２２は、例えば光を照射してその反射光を検知することで対象物の有無を検知する光センサＬを有し、反射光の検知の有無に基づいて、面部５が読取部１６の読取面部１６ａと対面する原稿押さえ部４の回動角度であるか否かを検出する。
【００３２】
例えば、図５（Ａ）に示す一例のように、原稿押さえ部４の回動角度が読取面部１６ａに載置された原稿（紙媒体Ｋ）を読取面部１６ａと面部５との間で挟む回動角度である場合、原稿押さえ部４の面部５は読取部１６の読取面部１６ａと対面する。このとき、原稿押さえ位置検出部２２の光センサＬは原稿押さえ部４により反射された反射光を検知する。
一方、図５（Ｂ）に示す一例のように、原稿押さえ部４の回動角度が読取部１６の読取面部１６ａに載置された原稿（紙媒体Ｋ）の上方を開放する回動角度である場合、原稿押さえ部４の面部５は読取部１６の読取面部１６ａに対して対面しない。このとき、原稿押さえ位置検出部２２の光センサＬは原稿押さえ部４により反射された反射光を検知しない。
【００３３】
ＣＰＵ１１は、原稿押さえ位置検出部２２により検出された原稿押さえ部４の対面状態を取得し、入力部２０の操作内容と対応付ける表示部（第１表示部１９又は第２表示部２１）を切り替える。
具体的には、原稿押さえ部４が読取部１６と対面する場合に第１表示部１９の表示内容に対する入力部２０の操作内容を受け付ける処理を行い、原稿押さえ部４が読取部１６に対して対面しない場合に第２表示部２１の表示内容に対する入力部の操作内容を受け付ける。
【００３４】
図６（Ａ）、（Ｂ）を用いて、入力部２０の操作内容と対応付けられる表示部の切替について説明する。図６（Ａ）は、第１表示部１９の表示内容に対する入力部２０の操作内容を受け付ける場合の第１表示部１９及び第２表示部２１の表示状態の一例を示す。図６（Ｂ）は、第２表示部２１の表示内容に対する入力部２０の操作内容を受け付ける場合の第１表示部１９及び第２表示部２１の表示状態の一例を示す。図６及び以降の図に示すタッチパネルＴの見かけ上の大きさと第２表示部２１の見かけ上の大きさは模式的なものであり、実際の比率を何ら制限するものではない。
例えば図５（Ａ）に示すように、原稿押さえ部４が読取部１６と対面する場合、原稿押さえ部４の面部５に設けられた第２表示部２１は読取部１６の読取面部１６ａと対面する位置にあるので、第２表示部２１の表示面はユーザが視認不可能又は視認が著しく困難な回動角度である。このため、ＣＰＵ１１は、図６（Ａ）に示すように、第２表示部２１を非表示とし、第１表示部１９の表示内容に対する入力部２０の操作内容を受け付ける処理を行う。
【００３５】
一方、例えば図５（Ｂ）に示すように、原稿押さえ部４が読取部１６に対して対面しない場合、第２表示部２１の表示面はユーザが容易に視認可能な回動角度にある。この場合、ＣＰＵ１１は、図６（Ｂ）に示すように、第２表示部２１を表示させ、第２表示部１９の表示内容に対する入力部２０の操作内容を受け付ける処理を行う。また、ＣＰＵ１１は、第２表示部２１の表示内容に対する入力部２０の操作内容を受け付ける処理を行うとき、タッチパネルＴの第１表示部１９を非表示とし、入力部２０に対する入力操作内容を、第２表示部２１の表示内容に対する入力操作内容として受け付ける。
【００３６】
図７（Ａ）、（Ｂ）を用いて、第２表示部２１の表示内容に対する入力部２０の操作内容を受け付けた一例を示す。図７（Ａ）は、矢印カーソルＣ１の表示例を示す。図７（Ｂ）は、図７（Ａ）とは異なる位置に矢印カーソルＣ１が移動した表示例を示す。
第２表示部２１の表示内容に対する入力部２０の操作内容を受け付ける場合、ＣＰＵ１１は、第２表示部２１に指標（例えば図７に示す矢印カーソルＣ１）を表示させる。また、ＣＰＵ１１は、入力部２０の入力受付部に対してユーザにより入力操作が行われた位置と第２表示部２１の表示画面における位置とを対応付ける。そして、ＣＰＵ１１は、入力部２０の入力受付部に対してユーザにより行われた入力操作に応じて指標を移動させる。
例えば、図７（Ａ）に示す矢印カーソルＣ１の表示位置は、タッチパネルＴにおいて押圧操作を受けている位置Ｄ１に対応している。また、ＣＰＵ１１は、例えば図７（Ｂ）に示すように、タッチパネルＴに対するユーザによる入力操作内容に応じてカーソルを移動させる。
【００３７】
また、第２表示部２１の表示内容に対する入力部２０の操作内容を受け付ける処理を行うとき、ＣＰＵ１１は、入力受付部上の２点に対する入力操作を受け付ける。
例えば、ＣＰＵ１１は、入力受付部上の２点に対する入力操作内容に応じて、第２表示部２１の表示内容の拡大又は縮小を行う。
図８（Ａ）、（Ｂ）を用いて、第２表示部２１の表示内容の拡大の一例を示す。図８（Ａ）は、タッチパネルＴにおける２点Ｄ２、Ｄ３に対する押圧操作が行われている場合の表示内容の一例を示す。図８（Ｂ）は、図８（Ａ）に示す２点Ｄ２、Ｄ３が互いに離隔するように操作された場合の表示内容の一例を示す。
例えば、図８（Ａ）に示すように、タッチパネルＴにおける２点Ｄ２、Ｄ３に対する押圧操作が行われている場合、ＣＰＵ１１は、２点Ｄ２、Ｄ３に対応する矢印カーソルＣ２、Ｃ３を表示させる。図８（Ａ）に示す状態から、図８（Ｂ）に示すように、２点Ｄ２、Ｄ３を互いに離隔させる入力操作が行われると、ＣＰＵ１１は、２点Ｄ２、Ｄ３の離隔幅に応じて第２表示部２１の表示内容を拡大させる。具体的には、ＣＰＵ１１は、第２表示部２１の表示内容と矢印カーソルＣ２、Ｃ３との位置関係は変化させず、第２表示部２１の表示面に対する矢印カーソルＣ２、Ｃ３の位置を、離隔操作後の２点Ｄ４、Ｄ５の位置に合わせる表示制御を行う。
また、タッチパネルＴにおける２点を互いに接近させる入力操作が行われると、ＣＰＵ１１は、入力操作後の２点の近接の度合いに応じて第２表示部２１の表示内容を縮小させる。
【００３８】
本実施形態では、離隔操作完了時又は接近操作完了時の２点の位置は、クリック操作により受け付けられる。ユーザは、離隔又は接近前の２点に対応するタッチパネルＴ上の位置を押圧した後、離隔操作完了時又は接近操作完了時の２点の位置まで２点をスライド操作し、離隔操作完了時又は接近操作完了時の２点の位置でクリック操作を行うことで表示内容の拡大又は縮小の入力操作を行うことができる。
【００３９】
また、ＣＰＵ１１は、入力受付部上の２点に対する入力操作内容に応じて、第２表示部２１の表示内容を第２表示部２１の表示領域に対して移動させる。
図９を用いて、第２表示部２１の表示内容の移動の一例を示す。
例えば、図８（Ａ）に示すように、タッチパネルＴにおける２点Ｄ２、Ｄ３に対する押圧操作が行われている状態から、図９に示すように、２点Ｄ２、Ｄ３を共に同一方向へ移動させる入力操作（例えばスライド操作等）が行われると、ＣＰＵ１１は、２点Ｄ２、Ｄ３の移動方向及び移動距離に応じて第２表示部２１の表示内容を第２表示部２１の表示領域に対して移動させる。具体的には、ＣＰＵ１１は、第２表示部２１の表示内容と矢印カーソルＣ２、Ｃ３との位置関係は変化させず、第２表示部２１の表示領域（例えば図９に示す第２表示部２１の外枠Ｅ）に対する矢印カーソルＣ２、Ｃ３の位置を、移動操作後の２点Ｄ６、Ｄ７の位置に合わせる表示制御を行う。
【００４０】
また、ＣＰＵ１１は、第２表示部２１に、第１表示部１９に比してより多くの情報を表示させる。
図１０に、同一の情報量を表示した第１表示部１９の表示内容と第２表示部２１の表示内容との対比の一例を示す。
第２表示部２１の表示面の大きさ（面積）は、第１表示部１９の表示面の大きさ（面積）に比して大きい。このため、表示内容の見かけ上の大きさを同一とした場合に、第２表示部２１は、第１表示部１９に比してより多くの情報を表示内容に含めることができる。このことから、表示内容の識別を好適に行うことができる所定の見かけ上の大きさに基づく表示を行うにあたり、第２表示部２１は、第１表示部１９に比してより多くの情報を表示内容に含めることができる。よって、ＣＰＵ１１は、第２表示部２１に、第１表示部１９に比してより多くの情報を表示させる。例えば、図１０に示すように、第１表示部１９では別個の２の表示内容（画面１０１ａ、１０１ｂ）により表示される内容について、ＣＰＵ１１は、１の表示内容（画面１０１）として第２表示部２１に表示させる。
【００４１】
前述のように、ＣＰＵ１１は、原稿押さえ位置検出部２２により検出された原稿押さえ部４の位置を取得し、入力部２０の操作内容と対応付ける表示部（第１表示部１９又は第２表示部２１）を切り替える。原稿押さえ位置検出部２２により検出された原稿押さえ部４の位置が変化したことによって表示部の切替が行われる場合、ＣＰＵ１１は予め定められた対応付け条件に基づいて切替後の表示部の表示内容を決定する。
【００４２】
ＣＰＵ１１は、入力部２０の操作内容と対応付ける表示部を第１表示部１９から第２表示部２１に切り替える場合、切替前の第１表示部１９の表示内容及び対応付けテーブルに基づいて第２表示部２１の表示内容を決定する。
図１１に、対応付けテーブルの内容の一例を示す。
対応付けテーブルは、第１表示部１９の表示内容と第２表示部の表示内容とを対応付ける。例えば、図１０に示す第１表示部１９の画面１０１ａ、画面１０１ｂは共に、対応付けテーブルにより、第２表示部２１の画面１０１と対応付けられている。
対応付けテーブルは、記憶部１４に記憶され、ＣＰＵ１１により読み出される。
【００４３】
入力部２０の操作内容と対応付ける表示部を第１表示部１９から第２表示部２１へ切り替えるにあたり、まず、ＣＰＵ１１は、切替前の第１表示部１９の表示内容及び対応付けテーブルを取得する。次に、ＣＰＵ１１は、取得した第１表示部１９の表示内容と対応付けられた第２表示部２１の表示内容と対応付けテーブルにより特定する。そして、ＣＰＵ１１は、特定された第２表示部２１の表示内容を第２表示部２１に表示させ、第１表示部１９を非表示とする。
【００４４】
また、ＣＰＵ１１は、入力部２０の操作内容と対応付ける表示部を第２表示部２１から第１表示部１９に切り替える場合、切替前の第２表示部２１の表示内容における指標の位置に基づいて第１表示部１９の表示内容を決定する。
図１２（Ａ）、（Ｂ）を用いて、入力部２０の操作内容と対応付ける表示部を第２表示部２１から第１表示部１９に切り替える場合の一例を示す。図１２（Ａ）は、切替前の第２表示部２１における矢印カーソルＣ１の位置と切替後の第１表示部１９の表示内容の一例を示す。図１２（Ｂ）は、切替前の第２表示部２１における矢印カーソルＣ１の位置と切替後の第１表示部１９の表示内容の別の一例を示す。
例えば、図１２（Ａ）に示すように、第２表示部２１の画面１０１のうち、第１表示部１９の画面１０１ａに含まれる項目に対応する位置に矢印カーソルＣ１がある場合、ＣＰＵ１１は、切替後の第１表示部１９の表示内容を画面１０１ａとする。また、図１２（Ｂ）に示すように、第２表示部２１の画面１０１のうち、第１表示部１９の画面１０１ｂに含まれる項目に対応する位置に矢印カーソルＣ１がある場合、ＣＰＵ１１は、切替後の第１表示部１９の表示内容を画面１０１ｂとする。
【００４５】
入力部２０の操作内容と対応付ける表示部を第２表示部２１から第１表示部１９へ切り替えるにあたり、まず、ＣＰＵ１１は、切替前の第２表示部２１の表示内容及び指標の位置を取得する。次に、ＣＰＵ１１は、取得した第２表示部２１の表示内容における指標の位置に対応する第１表示部１９の表示内容を特定する。そして、ＣＰＵ１１は、特定された第１表示部１９の表示内容を第１表示部１９に表示させ、第２表示部２１を非表示とする。
第２表示部２１の表示内容及びその表示内容における指標の位置と、第１表示部１９の表示内容と、の対応付けは、予め定められておくようにしてもよい。例えば、切替前の第２表示部２１に表示されている画面と当該画面における指標の位置範囲（例えば座標等）の組み合わせと、切替後の第１表示部１９に表示される画面と、を対応付ける情報をテーブル形式で記憶する等の方法が挙げられる。このようなテーブル形式の対応付け情報を、図１１に示す対応付けテーブルと統合して管理するようにしてもよい。
【００４６】
以下、ＭＦＰ１による情報の表示及び入力操作に係る処理の流れを、図１３及至図１９のフローチャートを用いて説明する。
ＭＦＰ１の電源が入れられると（ステップＳ１）、ＣＰＵ１１は、ＭＦＰ１の各部の初期化処理を行う（ステップＳ２）。
ステップＳ２の処理後、ＣＰＵ１１は、原稿押さえ位置検出部２２により検出された原稿押さえ部４の位置を取得し、読取部１６に対する原稿押さえ４の回動角度に基づいて原稿押さえ部４が読取部１６と対面するか否かチェックする（ステップＳ３）。原稿押さえ部４が読取部１６と対面する場合（ステップＳ３：ＹＥＳ）、ＣＰＵ１１は第１表示部１９による表示を行う（ステップＳ４）。一方、原稿押さえ部４が読取部１６に対して対面しない場合（ステップＳ３：ＮＯ）、ＣＰＵ１１は第２表示部２１による表示を行う（ステップＳ５）。
【００４７】
ステップＳ４又はステップＳ５の処理後、ＣＰＵ１１は、入力部２０による入力受付があったか否かチェックする（ステップＳ６）。入力部２０による入力受付があった場合（ステップＳ６：ＹＥＳ）、ＣＰＵ１１は、いずれの表示部による表示が行われているかチェックする。本実施形態では、ＣＰＵ１１は、第１表示部１９による表示が行われている否かチェックする（ステップＳ７）。第１表示部１９による表示が行われている場合（ステップＳ７：ＹＥＳ）、ＣＰＵ１１は、第１表示部１９に対する入力受付処理を行う（ステップＳ８）。一方、ステップＳ７のチェック処理において、第１表示部１９による表示が行われていない場合（ステップＳ７：ＮＯ）、即ち第２表示部２１による表示が行われている場合、ＣＰＵ１１は、第２表示部２１に対する入力受付処理を行う（ステップＳ９）。
【００４８】
ステップＳ８若しくはステップＳ９の処理後又はステップＳ６のチェック処理において入力部２０による入力受付がない場合（ステップＳ６：ＮＯ）、ＣＰＵ１１は、原稿押さえ位置検出部２２により原稿押さえ部４の対面状態の変化が検出されたか否かをチェックする（ステップＳ１０）。原稿押さえ部４の対面状態の変化が検出された場合、（ステップＳ１０：ＹＥＳ）、ＣＰＵ１１は、対面状態が変化した後の原稿押さえ部４が読取部１６と対面するか否かチェックする（ステップＳ１１）。回動角度変更後の原稿押さえ部４が読取部１６と対面する場合（ステップＳ１１：ＹＥＳ）、第１表示部１９への表示切替処理を行う（ステップＳ１２）。一方、ステップＳ１１のチェック処理において、原稿押さえ部４が読取部１６に対して対面しない場合（ステップＳ１１：ＮＯ）、ＣＰＵ１１は第２表示部２１への表示切替処理を行う（ステップＳ１３）。
【００４９】
ステップＳ１２若しくはステップＳ１３の処理後又はステップＳ１０のチェック処理において原稿押さえ部４の対面状態の変化が検出されない場合（ステップＳ１０：ＮＯ）であって、ＭＦＰ１の電源が切られていない場合（ステップＳ１４：ＮＯ）、ＣＰＵ１１は、ステップＳ６の処理に戻る（ステップＳ１４：ＮＯ）。ＭＦＰ１の電源が切られると（ステップＳ１４：ＹＥＳ）、ＣＰＵ１１は処理を終了する。
【００５０】
ステップＳ４に示す、第１表示部１９による表示について図１４を用いて説明する。
ＣＰＵ１１は、第１表示部１９を表示させ（ステップＳ２１）、第２表示部２１を非表示とする（ステップＳ２２）。
【００５１】
ステップＳ５に示す、第２表示部２１による表示について図１５を用いて説明する。
ＣＰＵ１１は、第２表示部２１を表示させ（ステップＳ３１）、第１表示部１９を非表示とする（ステップＳ３２）。
【００５２】
ステップＳ８に示す、第１表示部１９に対する入力受付処理について図１６を用いて説明する。
ＣＰＵ１１は、入力部２０から入力された入力操作が行われた位置を示す情報（例えば座標）、当該情報の入力タイミング及び入力操作時に第１表示部１９に表示されている内容に基づいて入力操作内容を特定する（ステップＳ４１）。そして、ＣＰＵ１１は、ステップＳ４１の処理により特定された入力操作内容に応じて第１表示部１９の表示制御を行う（ステップＳ４２）。
【００５３】
ステップＳ９に示す、第２表示部２１に対する入力受付処理について図１７を用いて説明する。
ＣＰＵ１１は、入力部２０から入力された入力操作が行われた位置を示す情報（例えば座標）に基づき、タッチパネルＴに対する入力操作が２点に対して行われているか否かチェックする（ステップＳ５１）。
タッチパネルＴに対する入力操作が２点に対して行われている場合（ステップＳ５１：ＹＥＳ）、ＣＰＵ１１は、２点に対する入力操作が２点を同一方向に移動させる操作であるか否かチェックする（ステップＳ５２）。２点に対する入力操作が２点を同一方向に移動させる操作である場合（ステップＳ５２：ＹＥＳ）、ＣＰＵ１１は、２点の移動方向及び移動距離に応じて第２表示部２１の表示内容を第２表示部２１の表示領域に対して移動させる（ステップＳ５３）。一方、ステップＳ５２のチェック処理において、２点に対する入力操作が２点を同一方向に移動させる操作でない（ステップＳ５２：ＮＯ）、即ち２点を離隔又は接近させる操作である場合、ＣＰＵ１１は２点の離隔又は接近に応じて第２表示部２１の表示内容の拡大又は縮小を行う（ステップＳ５４）。
ステップＳ５１のチェック処理において、タッチパネルＴに対する入力操作が２点に対して行われていない（ステップＳ５１：ＮＯ）、即ちタッチパネルＴに対する入力操作が１点に対して行われている場合、ＣＰＵ１１は、入力部２０から入力された入力操作が行われた位置を示す情報（例えば座標）、当該情報の入力タイミング及び入力操作時に第２表示部２１に表示されている内容に基づいて入力操作内容を特定する（ステップＳ５５）。そして、ＣＰＵ１１は、ステップＳ５５の処理により特定された入力操作内容に応じて第２表示部２１の表示制御を行う（ステップＳ５６）。
【００５４】
ステップＳ１２に示す、第１表示部１９への表示切替処理について図１８を用いて説明する。
まず、ＣＰＵ１１は、切替前の第２表示部２１の表示内容及び指標の位置を取得する（ステップＳ６１）。次に、ＣＰＵ１１は、取得した第２表示部２１の表示内容における指標の位置に対応する第１表示部１９の表示内容を特定する（ステップＳ６２）。そして、ＣＰＵ１１は、特定された第１表示部１９の表示内容を第１表示部１９に表示させ（ステップＳ６３）、第２表示部２１を非表示とする（ステップＳ６４）。
【００５５】
ステップＳ１３に示す、第２表示部２１への表示切替処理について図１９を用いて説明する。
まず、ＣＰＵ１１は、切替前の第１表示部１９の表示内容及び対応付けテーブルを取得する（ステップＳ７１）。次に、ＣＰＵ１１は、取得した第１表示部１９の表示内容と対応付けられた第２表示部２１の表示内容を対応付けテーブルにより特定する（ステップＳ７２）。そして、ＣＰＵ１１は、特定された第２表示部２１の表示内容を第２表示部２１に表示させ（ステップＳ７３）、第１表示部１９を非表示とする（ステップＳ７４）。
【００５６】
以上、本実施形態のＭＦＰ１は、情報を表示する第１表示部１９と当該第１表示部に対する入力操作を受け付ける入力部２０とを有するタッチパネルＴと、読取部１６の読取面部１６ａとの間に原稿を挟む原稿押さえ部４と、読取部１６の読取面部１６ａに対する原稿押さえ部４の面部５の対面状態を切替可能とするよう原稿押さえ部を回動可能に支持する支持部６と、原稿押さえ部４の面部５に設けられた第２表示部２１と、入力部２０に対する入力操作内容に基づいて第２表示部２１に対する入力操作内容を受け付けるＣＰＵ１１と、を備える。
これによって、タッチパネルＴの第１表示部１９とは異なる第２表示部２１を設けることができる。第２表示部２１は、第１表示部１９に比して大きな表示面を有するので、一の表示内容に基づく情報量をより多くすることができる。
さらに、第２表示部２１は、原稿押さえ部４の面部５に設けられるので、大型の表示部やタッチパネルを設けるためのスペースをＭＦＰ１に別途設けることなく、大型の表示部を設けることができる。つまり、画像読取装置を大型化させることなく一の表示内容に基づく情報量をより多く表示させることが可能な第２表示部を設けることができる。
さらに、第２表示部２１の表示内容に対してタッチパネルＴの入力部２０に対する入力操作内容に基づく入力操作を行うことができるので、タッチパネルＴに対する入力操作と同様の感覚で第２表示部２１の表示内容に対する入力操作を行うことができる。加えて、第２表示部２１は、第１表示部１９に比して大きな表示面を有することにより一の表示内容に基づく情報量をより多くすることができるので、表示内容に対する入力操作内容の選択肢が広がり、表示内容に対する入力操作をより快適に行うことができる。
加えて、第２表示部２１の表示内容に対してタッチパネルＴの入力部２０に対する入力操作内容に基づく入力操作を行うことができるので、第２表示部を用いた入力操作を行うための入力装置を別途設けるコストもスペースも要しない。つまり、画像読取装置を大型化させることなく一の表示内容に基づく情報量がより多く、当該表示内容に対する入力操作内容の選択肢がより多い表示入力装置を設けることができる。
【００５７】
さらに、ＣＰＵ１１は、第１表示部１９の表示内容に対する入力部２０の操作内容を受け付ける処理と第２表示部２１の表示内容に対する入力部２０の操作内容を受け付ける処理とを切り替える。
これによって、原稿押さえ部４を原稿の読取のために使用している場合であっても、タッチパネルＴによる入力操作を行うことができ、原稿押さえ部４の回動角度に関わらず入力操作を行うことができる。
【００５８】
さらに、ＭＦＰ１は、原稿押さえ部４の面部５が読取部１６の読取面部１６ａの対面状態を検出する原稿押さえ位置検出部２２を備え、ＣＰＵ１１が、原稿押さえ位置検出部２２により検出された原稿押さえ部４の対面状態に基づき、原稿押さえ部４の面部５が読取部１６の読取面部１６ａと対面する場合に第１表示部１９の表示内容に対する入力部２０の操作内容を受け付ける処理を行い、原稿押さえ部４の面部５が読取部１６の読取面部１６ａに対して対面しない場合に第２表示部２１の表示内容に対する前記入力部の操作内容を受け付ける処理を行う。
これによって、原稿押さえ部４の面部５が読取部１６の読取面部１６ａと対面するか否かに応じて自動的に第１表示部１９と第２表示部２１の表示が切り替わるので、ユーザは入力操作に用いる表示部の切替操作を行う必要がない。よって、入力操作に係る煩雑な操作を行うことのない、より快適な入力操作を提供することができる。
【００５９】
さらに、ＣＰＵ１１は、第２表示部２１の表示内容に対する入力部２０の操作内容を受け付ける処理から第１表示部１９の表示内容に対する入力部２０の操作内容を受け付ける処理へ切り替えるとき、切替前の第２表示部２１の表示内容に基づいて切替後の第１表示部１９の表示内容を決定する。
これによって、入力部２０の入力操作に対応付けられる表示部が第２表示部２１から第１表示部１９に切り替わるとき、切替前と切替後の表示内容に関連性を付加することができる。例えば、切替前の第２表示部２１の表示内容に基づいて行うことができる入力操作内容と切替後の第１表示部１９の表示内容に基づいて行うことができる入力操作内容とをほぼ同様の内容とすることで、切替前の入力操作内容の続きを切替後にも速やかに行うことができる。このように、入力操作に係る煩雑な操作を行うことのない、より快適な入力操作を提供することができる。
【００６０】
さらに、ＣＰＵ１１が第２表示部２１の表示内容に対する入力部２０の操作内容を受け付ける処理を行っている場合において、入力部２０は、第２表示部２１に表示された指標（例えば矢印カーソルＣ１、Ｃ２、Ｃ３等）の位置を変更する入力操作を受け付け、ＣＰＵ１１は、第２表示部２１の表示内容に対する入力部２０の操作内容を受け付ける処理から第１表示部１９の表示内容に対する入力部２０の操作内容を受け付ける処理へ切り替えるとき、第２表示部２１に表示された指標の位置に基づいて切替後の第１表示部１９の表示内容を決定する。
第２表示部２１の指標の位置は、ユーザの入力操作に基づいて決定されるので、指標が存在する位置に対応する表示内容は、ユーザの入力操作内容と関連性が高いと推定される。そこで、切替前の第２表示部２１における指標の位置に基づいて切替後の第１表示部１９の表示内容を決定することで、切替前の第２表示部２１の表示内容に基づいて行うことができる入力操作内容と切替後の第１表示部１９の表示内容に基づいて行うことができる入力操作内容とをほぼ同様の内容とすることができるので、切替前の入力操作内容の続きを切替後にも速やかに行うことができる。よって、入力操作に係る煩雑な操作を行うことのない、より快適な入力操作を提供することができる。
【００６１】
さらに、ＣＰＵ１１は、第１表示部１９の表示内容に対する入力部２０の操作内容を受け付ける処理から第２表示部２１の表示内容に対する入力部２０の操作内容を受け付ける処理へ切り替えるとき、切替前の第１表示部１９の表示内容に基づいて切替後の第２表示部２１の表示内容を決定する。
これによって、入力部２０の入力操作に対応付けられる表示部が第１表示部１９から第２表示部２１に切り替わるとき、切替前と切替後の表示内容に関連性を付加することができる。例えば、切替前の第１表示部１９の表示内容に基づいて行うことができる入力操作内容と切替後の第２表示部２１の表示内容に基づいて行うことができる入力操作内容とをほぼ同様の内容とすることで、切替前の入力操作内容の続きを切替後にも速やかに行うことができる。このように、入力操作に係る煩雑な操作を行うことのない、より快適な入力操作を提供することができる。
【００６２】
さらに、ＭＦＰ１は、切替前の第１表示部１９の表示内容と切替後の第２表示部２１の表示内容とを対応付ける対応付けテーブルを記憶する記憶部１４を備え、ＣＰＵ１１が、切替前の第１表示部１９の表示内容及び対応付けテーブルの内容に基づいて切替後の第２表示部２１の表示内容を決定する。
これによって、切替前と切替後の表示内容の対応付けを予め行うことができる。例えば、図１０の表示内容例及び図１１の対応付けテーブルの一例により示すように、切替前の第１表示部１９の表示内容に基づいて行うことができる入力操作内容と切替後の第２表示部２１の表示内容に基づいて行うことができる入力操作内容とがほぼ同様となるように切替前の第１表示部１９の表示内容とを対応付けることで、切替前の入力操作内容の続きを切替後にも速やかに行うことができる。このように、入力操作に係る煩雑な操作を行うことのない、より快適な入力操作を提供することができる。
【００６３】
なお、本発明の実施の形態は、今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【００６４】
例えば、原稿押さえ４の面部５に表示装置を設けることに代えて、面部５に対して画像を投影することにより表示を行ってもよい。
図２０に、投影により面部５に表示を行うＭＦＰ１Ａの一例を示す。
図２０に示すように、ＭＦＰ１Ａは、プロジェクタ２１Ａを備える。
プロジェクタ２１Ａは、面部５に対して画像を投影することで表示を行う表示装置である。ＭＦＰ１Ａの面部５は、単色（例えば白色等）の面部であり、表示装置は設けられない。ＭＦＰ１Ａのプロジェクタ２１Ａは、読取部１６の読取面部１６ａの下方に設けられて光を読取面部１６ａに透過させて画像を投影するが、プロジェクタの設置位置は特に限定されるものではない。
プロジェクタ２１Ａによる表示を行う場合も、第２表示部２１を設けた場合と同様の効果を得られる。
【００６５】
上記の実施形態における各構成は、同様の機能を有する別構成に置換可能である。
一例として、上記の実施形態における入力部２０は抵抗膜方式を用いているが、例えば静電容量方式や電磁誘導方式、赤外線方式、表面弾性波方式、マトリクススイッチ方式等、第１表示部１９と協働してタッチパネルとして機能する構成であればその具体的構成は問わない。また、上記の実施形態における原稿押さえ位置検出部２２は光センサを用いているが、例えば原稿押さえ部４の開閉に応じてＯＮ／ＯＦＦの切替が行われるスイッチや電極等の接触の有無等、原稿押さえ部４の位置の変更を検出可能な構成であればその具体的構成は問わない。
【００６６】
また、上記の実施形態では画像読取装置としての機能を有するＭＦＰを一例として挙げているが、ＭＦＰに限らず、画像読取装置としての機能を有する装置であれば本発明を適用することができる。
【００６７】
なお、本発明の記載における「原稿」とは、画像読取装置の読取部に載置して読み取り可能な全ての物品を指すものであり、紙媒体に限らない。
【符号の説明】
【００６８】
１     ＭＦＰ
４     原稿押さえ部
５     面部
６     支持部
１４   記憶部
１６   読取部
１６ａ 読取面部
１７   画像処理部
１９   第１表示部
２０   入力部
２１   第２表示部
２２   原稿押さえ位置検出部
Ｔ     タッチパネル
【図１】
0005440405.tif 000002
【図２】
0005440405.tif 000003
【図３】
0005440405.tif 000004
【図４】
0005440405.tif 000005
【図５】
0005440405.tif 000006
【図６】
0005440405.tif 000007
【図７】
0005440405.tif 000008
【図８】
0005440405.tif 000009
【図９】
0005440405.tif 000010
【図１０】
0005440405.tif 000011
【図１１】
0005440405.tif 000012
【図１２】
0005440405.tif 000013
【図１３】
0005440405.tif 000014
【図１４】
0005440405.tif 000015
【図１５】
0005440405.tif 000016
【図１６】
0005440405.tif 000017
【図１７】
0005440405.tif 000018
【図１８】
0005440405.tif 000019
【図１９】
0005440405.tif 000020
【図２０】
0005440405.tif 000021